(57)【要約】      （修正有）【課題】被仕切り物である制御盤内部の機器の特性に影響を及ぼす恐れのない防塵フィルターを提供する。【解決手段】外気と被仕切り物とを仕切る仕切り部材ｗに設けられた外気取入口３に設置される防塵フィルターであって、ロール状に巻き取られ、仕切り部材上に配置されるフィルター用シート５と、磁気を帯びておらず、引き出されて外気取入口に被せられたフィルター用シートを仕切り部材に固定する固定手段９ａ，９ｂとを備える。固定手段は、例えば、一面が釣針状のパイルによって引掛かり機能を有し、他面が仕切り部材に接合されるフックテープを用いることができる。フックテープは、パイルがフィルター用シートの繊維間空隙に進入して繊維と絡んでフィルター用シートを保持する。【選択図】図１
0003186136.tif 000002
【実用新案登録請求の範囲】
【請求項１】
外気と被仕切り物とを仕切る仕切り部材に設けられた外気取入口に設置されるフィルターであって、
ロール状に巻き取られ、前記仕切り部材上に配置されるフィルター用シートと、
磁気を帯びておらず、引き出されて前記外気取入口に被せられた前記フィルター用シートを前記仕切り部材に固定する固定手段と、
を備えた防塵フィルター。
【請求項２】
前記固定手段は、
前記外気取入口より上流側で前記フィルター用シートを前記仕切り部材に固定する一の固定手段と、
前記外気取入口より下流側で前記フィルター用シートを前記仕切り部材に固定する他の固定手段と、
を有することを特徴とする請求項１に記載の防塵フィルター。
【請求項３】
前記固定手段は、一面に前記フィルター用シートと面同士で引掛かり可能なパイルを有し、他面が前記仕切り部材に接合される帯状体である請求項１又は請求項２に記載の防塵フィルター。
【請求項４】
前記ロール状のフィルター用シートの中心部に通されて該フィルター用シートを支える軸部材と、
前記軸部材の両端部を軸支し、前記仕切り部材に取り付けられる巻出し手段と、
を備えた請求項１から請求項３に記載の防塵フィルター。
【請求項５】
前記巻出し手段は、磁気を帯びていない取付部材を介して前記仕切り部材に取付けられたことを特徴とする請求項１から請求項４に記載の防塵フィルター。
【請求項６】
前記取付部材は、巻出し手段に着脱可能であることを特徴とする請求項１から請求項５に記載の防塵フィルター。
【考案の詳細な説明】
【技術分野】
【０００１】
本願考案は防塵フィルターに関するものである。
【背景技術】
【０００２】
制御盤等に設けられた外気取入口から進入する粉塵を防止するフィルターが特許文献１に記載されている。この防塵フィルターは、細長開口が形成され、外気取入口の周辺に取り付けられたケーシングと、両端部がケーシングから突出するようにケーシングに挿通される巻取軸と、この巻取軸に巻き取られ、前記ケーシングに収納されるフィルター用シートと、細長開口から引き出されて制御盤の外気取入口に被せられたフィルター用シートを制御盤等の壁面に固定する長尺磁石板とを備えている。
【０００３】
この防塵フィルターは、汚れたフィルター用シートを切り離して、新たなフィルター用シートを引き出して外気取入口に被せることができる。このため外気取入口の清掃作業の労力を軽減できる。しかし、制御盤内部の機器の特性によっては長尺磁石板の発する磁気の影響を受け、制御盤本来の機能を発揮し得ないことが懸念される。
【先行技術文献】
【特許文献】
【０００４】
【特許文献１】実用新案登録第３０９９６３６号公報
【考案の概要】
【考案が解決しようとする課題】
【０００５】
本願考案は、被仕切り物に影響を及ぼす恐れのない防塵フィルターを提供することを目的とする。
【課題を解決するための手段】
【０００６】
本願考案の防塵フィルターは、外気と被仕切り物とを仕切る仕切り部材に設けられた外気取入口に設置されるフィルターであって、
ロール状に巻き取られ、前記仕切り部材上に配置されるフィルター用シートと、磁気を帯びておらず、引き出されて前記外気取入口に被せられた前記フィルター用シートを前記仕切り部材に固定する固定手段とを備えたことを特徴とする。
【０００７】
また、本願考案の防塵フィルターは、前記固定手段が、前記外気取入口より上流側で前記フィルター用シートを前記仕切り部材に固定する一の固定手段と、該外気取入口より下流側で前記フィルター用シートを前記仕切り部材に固定する他の固定手段とを有することを特徴とする。
【０００８】
さらに、本願考案の防塵フィルターは、一面に前記フィルター用シートと面同士で引掛かり可能なパイルを有し、他面が前記仕切り部材に接合される帯状体であることを特徴とする。
【０００９】
さらにまた、本願考案の防塵フィルターは、前記ロール状のフィルター用シートの中心部に通されて該フィルター用シートを支える軸部材と、前記軸部材の両端部を軸支し、前記仕切り部材に取り付けられる巻出し手段とを備えたことを特徴とする。
【００１０】
また、前記巻出し手段は、磁気を帯びていない取付部材を介して前記仕切り部材に取付けられたことを特徴とする。
【００１１】
さらに、前記取付部材は、巻出し手段に着脱可能であることを特徴とする。
【考案の効果】
【００１２】
本願考案の防塵フィルターは、フィルター用シートを仕切り部材に固定する固定手段が磁気を帯びていないため、被仕切り物への影響は生じない。
【図面の簡単な説明】
【００１３】
【図１】本願考案の防塵フィルターの使用状態を示す正面図である。
【図２】図１におけるＡ−Ａ断面図である。
【図３】他の固定手段の使用状態を示す一部側面図と一部拡大断面図である。
【図４】（ａ）更に他の固定手段の使用状態を示す正面図である。（ｂ）Ｂ−Ｂ断面図である。
【図５】（ａ）更に他の固定手段の使用状態を示す正面図である。（ｂ）Ｃ−Ｃ断面図である。
【図６】（ａ）固定手段が貼り付けられたフィルター用シートを示す斜視図である。（ｂ）固定手段が貼り付けられたフィルター用シートを示す斜視図である。
【図７】他の取付手段を示す斜視図である。
【考案を実施するための形態】
【００１４】
本願考案の防塵フィルターを説明する。なお、本明細書において、各図にわたって示される同じ符号は同一または同様の部材や物を示す。
【００１５】
本願考案の防塵フィルター1は、図１及び図２に示すように、外気と被仕切り物とを仕切る仕切り部材wに設けられ、通気孔4を有する外気取入口3に設置される。例えば、防塵フィルター1は制御盤に用いられ、その内部の計器類やスイッチ類等を冷却するために設けられた壁面の外気取入口3に設置される。この防塵フィルター1は、フィルター用シート5と、軸部材11と、巻出し手段7と、固定手段9a,9bとを備える。
【００１６】
フィルター用シート5は、天然繊維及び／又は合成繊維から成る長尺の不織布等のフィルター材が、ロール状に巻き取られたものである。フィルター用シート5の幅寸法は、外気取入口3に形成された通気孔4を覆うように適宜定められる。取換時の切り離しを容易に行うため、フィルター用シート5には、予めフィルター用シート5を幅方向に横切る複数のミシン目（不図示）を設けておくことが好ましい。ミシン目同士の間隔は、防塵フィルター1が設置される外気取入口3の寸法に応じて任意に設定される。また、外気取入口3の寸法に関わらず、任意の寸法で切り離しを行えるよう、カッターを後述するケーシングに設けても良い。このカッターは、例えば、ケーシングの細長開口の長手の縁に沿って形成された鋸状刃であっても良い。
【００１７】
軸部材11は、フィルター用シート5に通されて、フィルター用シート5を支えるものである。この軸部材11は、細長の筒体、柱体等を用いることができ、その長さはフィルター用シート5の幅寸法よりも長い。フィルター用シート5から突出する軸部材11の両端部が、後述する巻出し手段7に軸支される。この軸部材11は、代表的には、フィルター用シート5をロール状に巻き取る巻取軸を用いることができる。
【００１８】
巻出し手段7は、軸部材11の両端部を軸支し、仕切り部材ｗに取り付けられる。この巻出し手段7は、例えば、外気取入口3の上方に取り付けられる。巻出し手段7としては、例えば、ロール状に巻き取られたフィルター用シート5を収納する直方体形状のケーシング7aを用いることができる。このケーシング7aは、直方体形状に限定されず、円柱状、他の多角柱形状であっても良い。ケーシング7aは取付部材13と、細長開口15と、軸孔17とを備えている。
【００１９】
ケーシング7aの取付部材13は、ケーシング7aを仕切り部材wに取り付けるものであり、仕切り部材wに対向するケーシング7aの背面19に設けられている。取付部材13は、磁気を帯びておらず、例えば、ケーシング7aの背面19又は仕切り部材ｗの一方に設けられたフックテープと、他方に設けられ、このフックテープに貼りつくループテープとから構成される面ファスナである。この取付部材13は仕切り部材wとこれに対向するケーシング7aの背面19とを接合する。取付部材13は、面ファスナに限定されず、例えば両面テープ、又はケーシング7aの背面19を介して仕切り部材wに螺合される螺子であってもよい。
【００２０】
ケーシング7aの細長開口15は、収納されたフィルター用シート5の幅方向と同方向に形成されている。図２においては、外気取入口3に対向するケーシング7aの下面21に形成されているが、これに限定されず、ケーシング7aの長手の面のいずれにも形成することができる。この細長開口15を通じてフィルター用シート5が引き出される。
【００２１】
ケーシング7aの軸孔17は、収納されたフィルター用シート5の端面に対向するケーシング7aの両側面23に形成され、軸部材11が両方の軸孔17から突出して配置され、軸支される。
【００２２】
固定手段9a,9bは、磁気を帯びておらず、ケーシング7aから引き出されて外気取入口3に被せられたフィルター用シート5を仕切り部材wに固定するものである。この固定手段9a,9bは、引き出されたフィルター用シート5を外気取入口3よりも上流側で仕切り部材ｗに固定する一の固定手段9aと、外気取入口3よりも下流側で仕切り部材ｗに固定する他の固定手段9bとから構成されている。固定手段9a,9bは、例えば、一面が釣針状のパイルによって引掛かり機能を有し、他面が仕切り部材wに接合されるフックテープを用いることができる。このフックテープは、パイルがフィルター用シート5の繊維間空隙に進入して繊維と絡んでフィルター用シート5を保持する。これにより、引き出されたフィルター用シート5は仕切り部材wに固定される。固定手段9a,9bはフックテープに限られずマッシュルームテープであってもよい。
【００２３】
本願考案の防塵フィルター1は、軸部材11を介してフィルター用シート5を支持する巻出し手段7と、固定手段9a,9bが仕切り部材ｗの所定の位置に設置される。そして、巻出し手段7から引き出されたフィルター用シート5は、通気孔4を覆うように外気取入口3に被せられる。このフィルター用シート5は固定手段9a,9bにより仕切り部材ｗに固定される。この防塵フィルター1は、通気孔4からの粉塵の進入を防止する。粉塵を吸着して汚れたフィルター用シート5は、外気取入口3に被せられていた部分が切り離されて仕切り部材wから取り除かれる。そして新たに引き出されたフィルター用シート5が通気孔4を覆うように仕切り部材wに固定される。
【００２４】
本願考案の防塵フィルター1は、フィルター用シート5を仕切り部材wに固定する固定手段9a,9bが磁気を帯びていないため、被仕切り物（制御盤内部機器）への影響は生じない。
【００２５】
また、一の固定手段9aと他の固定手段9bが外気取入口3の上流側及び下流側に配置されるので、フィルター用シート5を外気取入口3の通気孔4に密着させて固定することができる。
【００２６】
また、固定手段9a,9bがフックテープであるため、フィルター用シート5の固定及び取り外しが容易である。
【００２７】
上記防塵フィルター１の態様は、本願考案の一例を示したものである。ここで、軸部材11及び巻出し手段7は本願考案の必須の構成ではなく、軸部材11及び巻出し手段7を含まない防塵フィルターであっても良い。
【００２８】
また、固定手段は、図３に示すように、一面に粘着層25が形成され、他面に剥離層27が形成されたシート29が複数枚積層されて成る固定手段31であってもよい。この粘着層25は、シート29の一面に粘着剤が塗布されて形成される。剥離層27は、シート29の他面にシリコーン樹脂等の剥離剤が塗布されて形成される。一のシートの粘着層25に他のシートの剥離層27が重なるように複数のシート29は積層される。この固定手段31はシート29の剥離層27側を仕切り部材wに向けて取り付けられる。
【００２９】
外気取入口3に被せられたフィルター用シート5は固定手段31の最上シート29aの一面に貼り付けられて仕切り部材wに固定される。フィルター用シート5の取り換えにおいて、フィルター用シート5の切り離しと共に固定手段31の最上シート29aが他のシート29bから剥離される。そして、新たに引き出されたフィルター用シート5は、新たな最上シート29bの一面に貼り付けられて、仕切り部材wに固定される。
【００３０】
さらに、固定手段の他の態様として、図４に示すように、外気取入口3の周りに形成された螺子孔35と、外気取入口3に被せられたフィルター用シート5に刺し通されて螺子孔35に螺合される螺子37から構成された固定手段33であっても良い。この螺子孔35は、例えば、外気取入口3の上流側及び下流側にそれぞれ２ヶ所形成される。螺子37は、外気取入口3に被せられたフィルター用シート5に刺し通され、螺子孔35に螺合される。このフィルター用シート5は螺子頭39と、螺子孔35の周縁部により挟まれて固定される。螺子孔35の形成位置、形成数は外気取入口3の寸法に応じて適宜定められる。
【００３１】
さらに、固定手段の他の態様として、図５に示すように、外気取入口3の周りの仕切り部材wから直立し、先端部41がフィルター用シート5に刺し通される直立部材40であってもよい。この直立部材40の先端部41は釣針状、Ｌ字状に形成されており、引き出されたフィルター用シート5に刺し通される。他端部43は仕切り部材wに螺合等により取り付けられる。この直立部材40は、外気取入口3の上流側及び下流側にそれぞれ２ヶ所取り付けられる。引き出されたフィルター用シート5は各直立部材40に引っ掛けられて固定される。
【００３２】
さらに、固定手段の他の態様として、図６に示すように、固定手段は、一面に剥離紙を有し、他面がフィルター用シート5に貼り付けられた複数の両面テープ45であっても良い。図６（ａ）に示す複数の両面テープ45は、その長手方向をフィルター用シート5の幅方向に向けて、フィルター用シート5の長手方向に所定の間隔で貼り付けられている。図６（ｂ）に示す両面テープ45は、その長手方向をフィルター用シート5の長手方向に向けて、フィルター用シート5の両長手端部に貼り付けられている。両面テープ45が貼り付けられたフィルター用シート5はロール状に巻き取られる。巻き取られたフィルター用シート5は両面テープ45を張り付けた面が仕切り部材w側を向くようにケーシング7aに収納される。細長開口15から引き出されて外気取入口3に被せられたフィルター用シート5は、両面テープ45の剥離紙が剥がされて外気取入口3の縁又は仕切り部材wに貼り付けられる。
【００３３】
また、図７に示すように、ケーシングの取付部材は、ケーシングに着脱可能な取付部材47であっても良い。この取付部材47は、一面がケーシング7aの背面19に着脱可能な薄板材51と、薄板材の他面側に取り付けられ仕切り部材wに接着する接着部材49とから構成される。
【００３４】
薄板材51は、その面方向に、かつ互いに逆方向に延出する一対の舌片53が形成されており、この舌片53がケーシング7aの背面19に形成された切り込み55に差し込まれる。これにより、薄板材51は一面側をケーシング7aの背面19に向けて取り付けられる。薄板材の他面には、接着部材49が取り付けられる。この薄板材51の形状は四角形に限定されず、円形、他の多角形であってもよい。
【００３５】
接着部材49は、代表的には両面テープ、又は仕切り部材wに取り付けられたフックテープに着脱可能なパイルテープである。
【００３６】
この取付部材47は、薄板材51の舌片53を切り込み55に抜き差しすることにより、ケーシング7aに着脱可能である。このため、接着部材49の劣化が生じた際には新たな取付部材47と交換することができる。これにより、メンテナンスがし易くなる。
【００３７】
以上、本願考案の防塵フィルターについて説明したが、本願考案はその趣旨を逸脱しない範囲で、当業者の知識に基づき種々の改良、修正、変形を加えた態様で実施し得るものであり、これらの態様はいずれも本願考案の範囲に属するものである。
【符号の説明】
【００３８】
1  …  防塵フィルター、
3  …  外気取入口、
5  …  フィルター用シート、
7  …  巻出し手段、
7a  …  ケーシング
9a,9b,31,33  …  固定手段、
11  …  軸部材、
13  …  取付部材、
15  …  細長開口、
17  …  軸孔、
19  …  ケーシングの背面、
21  …  ケーシングの下面、
23  …  ケーシングの側面、
25  …  粘着層、
27  …  剥離層、
29  …  シート、
35  …  螺子孔、
37  …  螺子、
39  …  螺子頭、
40  …  直立部材、
41  …  直立部材の先端部、
43  …  直立部材の他端部、
45  …  両面テープ
47  …  取付部材
49  …  接着部材
51  …  薄板材
53  …  舌片
55  …  切れ込み
ｗ  …  仕切り部材
【図１】
0003186136.tif 000003
【図２】
0003186136.tif 000004
【図３】
0003186136.tif 000005
【図４】
0003186136.tif 000006
【図５】
0003186136.tif 000007
【図６】
0003186136.tif 000008
【図７】
0003186136.tif 000009